(57)【要約】【課題】  左右一対の踏板をシーソー状に回動させる構成の健康増進器具において、使用の難易度を調整可能にすると共に、複雑なバランス感覚の訓練を可能にすることである。【解決手段】  裏面側に幅方向に配置された回動軸２を備えた左右一対の踏板Ｐ1 ，Ｐ2 と、前記回動軸２を介して各踏板Ｐ1 ，Ｐ2 の前後両端部が上下動するように当該各踏板Ｐ1 ，Ｐ2 を回動可能に支持するための一対一組となって基台Ｖ1 に固定された二組の軸受台Ｂ1 とを備え、両足Ｆを各踏板Ｐ1 ，Ｐ2 に載せて、各踏板Ｐ1 ，Ｐ2 をシーソー状に回動させる構成の健康増進器具Ａ1 において、前記軸受台Ｂ1 には、踏板Ｐ1 ，Ｐ2 の回動軸２を異なる高さにおいて着脱して支持可能とする複数の軸支持溝部Ｇ1 〜Ｇ3 を備えた構成とする。【選択図】  図１
2009165813.tif 000002
【特許請求の範囲】
【請求項１】
裏面側に幅方向に配置された回動軸を備えた左右一対の踏板と、前記回動軸を介して各踏板の前後両端部が上下動するように当該各踏板を回動可能に支持するための一対一組となって基台に固定された二組の軸受台とを備え、両足を各踏板に載せて、各踏板をシーソー状に回動させる構成の健康増進器具であって、
前記軸受台には、踏板の回動軸を異なる高さにおいて着脱して支持可能とする複数の軸支持溝部を備えていることを特徴とする健康増進器具。
【請求項２】
前記軸受台は台形状であって、傾斜面部と上面部とに斜方向又は垂直方向に形成された複数の軸支持溝部が設けられていることを特徴とする請求項１に記載の健康増進器具。
【請求項３】
左右一対の踏板は、近接状態で１本の共通回動軸により連結されていて、互いに平行配置され、かつ所定間隔をおいて基台に固定された計３個の軸受台に、左右一対の踏板が１本の共通回動軸を介して支持されていることを特徴とする請求項１又は２に記載の健康増進器具。
【請求項４】
前記踏板は、鼻緒を備えた下駄状に形成されて、当該踏板の裏面には、幅方向に沿って所定間隔をおいて前後方向に配置された複数の軸支持板が一体に固着されて、各軸支持板に前記回動軸が固定支持されて、前記軸受台から当該踏板を取り外した形態で履物状にして単独で使用可能であることを特徴とする請求項１ないし３のいずれかに記載の健康増進器具。
【請求項５】
前記踏板の裏面に固着された各軸支持板の前後方向の両端部は、側面視においてアール状に面取りされていることを特徴とする請求項４に記載の健康増進器具。
【請求項６】
裏面側に幅方向に配置された回動軸を備えた左右一対の踏板と、前記回動軸を介して各踏板の前後両端部が上下動するように当該各踏板を回動可能に支持するための一対一組となって基台に固定された二組の軸受台とを備え、両足を各踏板に載せて、各踏板をシーソー状に回動させる構成の健康増進器具であって、
前記踏板は、鼻緒を備えた下駄状に形成されて、当該踏板の裏面には、幅方向に沿って所定間隔をおいて前後方向に配置された複数の軸支持板が一体に固着されて、各軸支持板に前記回動軸が固定支持されて、前記軸受台から当該踏板を取り外した形態で履物状にして単独で使用可能であることを特徴とする健康増進器具。
【発明の詳細な説明】
【技術分野】
【０００１】
本発明は、左右一対の踏板に両足を載せて、各踏板をシーソー状に回動させて、足腰の鍛練とバランス感覚を高めるのに使用される健康増進器具に関するものである。
【背景技術】
【０００２】
従来より、回動軸を中心にシーソー運動が可能な左右一対の踏板を使用して、当該一対の踏板に両足又は片足を載せて、指先部及び踵部を交互に上下動させることにより、人体のバランス感覚を高めたり、人体の足腰を鍛える器具は、種々提案されている（特許文献１，２）。
【０００３】
このような器具の使用者は、初心者から使い慣れた者、或いは運動能力の低い者から高い者に至るまで、種々の段階があるのに、一つの器具で種々の段階の者に対して適用可能な器具は殆ど提案されていない。具体的には、シーソー運動を行う踏板の長手方向両端部の昇降高さによって、器具としての身体鍛練の性能が大きく変化する。シーソー運動を行う踏板の長手方向両端部の昇降高さが高い場合には、高度のバランス感覚を有する者でないと十分に使いこなすことができないし、逆に使いこなせるようにする訓練がバランス感覚を高めることになり、踏板の回動支点位置の高さが器具としての使用の難易度、即ち身体訓練の程度を左右する。しかし、従来提案されているこの種の器具は、シーソー運動を行う踏板の回動支点の高さは一定しており、即ち、使用の難易度は一定しており、１台の器具で踏板の支点部の高さは変えられないために、難易度の異なる訓練をするには、複数台の器具を保有する必要があった。
【０００４】
また、左右一対の踏板は、その間隔を自由に選択できるように分離していて、各踏板には、片足をそれぞれ載せて運動を行う発想のものが大部分であって、２枚の踏板の間に片足を跨がせて載せた状態で運動を行って、バランス感覚を高めるという発想の健康増進器具も殆どなかった。
【０００５】
更に、左右一対の踏板を備えた従来の健康増進器具は、基本的に人体のバランス感覚を高めたり、或いは人体の足腰を鍛えることのみを目的としていて、使用時における情緒性、或いは趣向性を考慮したり、更には踏板単独で使用可能にして健康増進を図る工夫がなされているものは皆無であった。
【特許文献１】特開２００２−１２６１２４号公報
【特許文献２】特開２００２−３１５８４６号公報
【発明の開示】
【発明が解決しようとする課題】
【０００６】
本発明の課題は、左右一対の踏板をシーソー状に回動させる構成の健康増進器具において、使用の難易度を調整可能にすると共に、複雑なバランス感覚の訓練を可能にし、更に使用時における情緒性を高めることである。
【課題を解決するための手段】
【０００７】
上記課題を解決するための請求項１の発明は、裏面側に幅方向に配置された回動軸を備えた左右一対の踏板と、前記回動軸を介して各踏板の前後両端部が上下動するように当該各踏板を回動可能に支持するための一対一組となって基台に固定された二組の軸受台とを備え、両足を各踏板に載せて、各踏板をシーソー状に回動させる構成の健康増進器具において、前記軸受台には、踏板の回動軸を異なる高さにおいて着脱して支持可能とする複数の軸支持溝部を備えた構成を特徴としている。
【０００８】
請求項１の発明によれば、左右一対の踏板の軸受台に対する支持位置、即ち各踏板の回動支点位置の高さが変更可能となっているので、１台の器具により、使用者の運動能力に応じて、各踏板の回動支点位置の高さを変更して使用可能となる。即ち、踏板の回動支点位置が高いと、各踏板の長手方向両端部が設置面に当接するまでの高さが高くなって、一対の軸受台にシーソー状に支持された踏板の支持状態が不安定となって、各踏板の前後両端が設置面に当接することなく、ほぼ平行を維持した状態を長く保持するには、高いバランス能力が必要となり、運動能力の高い者に適している。一方、踏板の回動支点位置が低いと、バランスを失って踏板の前後端のいずれかが当接した状態でも、踏板の傾斜角は小さいので、人体は倒れることがなく、初心者、或いはバランス能力が十分でない者に適している。また、訓練を重ねるにつれて、踏板の回動支点位置を順次高めることにより、器具としての難易度を高めて、使用者のバランス能力を順次高めることが可能となる。更に、各踏板の前後両端の昇降量の変動量は、各踏板の回動支点位置の高さの変動値の２倍となるので、各踏板の回動支点位置の高さの変更による当該踏板のシーソー運動に与える影響は大きい。
【０００９】
また、請求項２の発明は、請求項１の発明において、前記軸受台は台形状であって、傾斜面部と上面部とに斜方向又は垂直方向に形成された複数の軸支持溝部が設けられていることを特徴としている。
【００１０】
請求項２の発明によれば、軸受台が安定した台形状をなしていて、傾斜面部と上面部とに複数の軸支持溝部が斜方向又は垂直方向に形成されているため、踏板に備えつけの回動軸を軸支持溝部に対して着脱する操作が容易になると共に、回動軸を装着支持した場合において、装着支持状態が安定している。また、軸受台が台形状をしているため、その傾斜面部に複数の軸支持溝部を設けても、水平方向に沿った位置がずれるため、回動軸の支持強度の低下を防止できる。更に、台形状の軸受台の両傾斜面部にそれぞれ軸支持溝部を設けることにより、回動軸の支持強度の低下を防止できる。
【００１１】
また、請求項３の発明は、請求項１又は２の発明において、左右一対の踏板は、近接状態で１本の共通回動軸により連結されていて、互いに平行配置され、かつ所定間隔をおいて基台に固定された計３個の軸受台に、左右一対の踏板が１本の共通回動軸を介して支持されていることを特徴としている。
【００１２】
請求項３の発明によれば、互いに独立してシーソー運動を行う各踏板に左右の各足をそれぞれ跨がせた状態で載せて踏み込むことにより、シーソー運動を行う各踏板に対する左右の各足に対する荷重配分による第１バランスと、２枚の各踏板に対する片足の前後の荷重配分による第２バランスとの組み合わせによるバランス保持が必要となって、高度のバランス感覚が要求される運動を行える。
【００１３】
また、請求項４の発明は、請求項１ないし３のいずれかの発明において、前記踏板は、鼻緒を備えた下駄状に形成されて、当該踏板の裏面には、幅方向に沿って所定間隔をおいて前後方向に配置された複数の軸支持板が一体に固着されて、各軸支持板に前記回動軸が固定支持されて、前記軸受台から当該踏板を取り外した形態で履物状にして単独で使用可能であることを特徴としている。
【００１４】
請求項４の発明によれば、使用者の運動能力に応じて、各踏板の回動支点位置の高さを変更して使用できるのに加えて、踏板に載せた足及びその指部を鼻緒に引っ掛けてシーソー運動を行うことにより、踏板から足が離脱することなく安定して前記運動を行えるのに加えて、下駄状の踏板に足を載せて運動を行う姿に情緒性があって、運動をしている姿そのものが美しい。また、踏板が鼻緒を備えた下駄状になっていて、裏面には複数の軸支持板が前後方向に配置されて当該踏板に一体に固着されているので、基台の軸受台から取り外した踏板を下駄として単独で使用して、長手方向の両端部を上下動させながら、即ちシーソー運動させながら床面を歩行等することも可能であって、当該行為による運動効果も得られる。
【００１５】
また、請求項５の発明は、請求項４の発明において、前記踏板の裏面に固着された各軸支持板の前後方向の両端部は、側面視においてアール状に面取りされていることを特徴としている。
【００１６】
請求項５の発明によれば、踏板の裏面に固着された各軸支持板の前後方向の両端部は、側面視においてアール状に面取りされているので、踏板を下駄として単独で使用して、床面等をシーソー運動させながら歩行する際に、当該シーソー運動をスムーズに行える。
【００１７】
また、請求項６の発明は、裏面側に幅方向に配置された回動軸を備えた左右一対の踏板と、前記回動軸を介して各踏板の前後両端部が上下動するように当該各踏板を回動可能に支持するための一対一組となって基台に固定された二組の軸受台とを備え、両足を各踏板に載せて、各踏板をシーソー状に回動させる構成の健康増進器具であって、前記踏板は、鼻緒を備えた下駄状に形成されて、当該踏板の裏面には、幅方向に沿って所定間隔をおいて前後方向に配置された複数の軸支持板が一体に固着されて、各軸支持板に前記回動軸が固定支持されて、前記軸受台から当該踏板を取り外した形態で履物状にして単独で使用可能であることを特徴としている。
【００１８】
請求項６の発明によれば、「使用者の運動能力に応じて、各踏板の回動支点位置の高さを変更して使用できる」という作用効果が奏されない点を除いて、請求項４の発明と実質的に同一の作用効果が奏される。
【発明の効果】
【００１９】
本発明に係る健康増進器具は、左右一対の踏板の回動支点位置の高さを変更することにより、一対の踏板がシーソー状に運動する器具の使用の難易度を調整できるので、使用者の運動能力、或いは熟練度に応じて、左右一対の踏板の回動支点位置の高さを変更することにより、１台の器具により使用者の運動能力、或いは熟練度により使用の難易度を異にして、使用可能となる。
【００２０】
また、左右一対の踏板を近接させた状態で１本の共通回動軸により連結して、互いに平行配置され、かつ所定間隔をおいて基台に固定された計３個の軸受台に、左右一対の踏板を１本の共通回動軸を介して支持すると、互いに独立してシーソー運動を行う２枚の踏板に対してそれぞれ片足を跨がせた状態で支持可能となるので、シーソー運動を行う各踏板に対する独立したバランスと、２枚の踏板に対する片足の荷重配分によるバランスとの組み合わせによるバランス保持が必要となって、バランス感覚を高めるための高度の運動が実現できる。
【００２１】
また、踏板が鼻緒を備えた下駄状に形成されて、当該踏板の裏面に、幅方向に沿って所定間隔をおいて前後方向に配置された複数の軸支持板が一体に固着されて、各軸支持板に前記回動軸が固定支持されて、前記軸受台から当該踏板を取り外した形態で履物状にして単独で使用可能な構成にすると、踏板に載せた足及びその指部を鼻緒に引っ掛けてシーソー運動を行うことにより、踏板から足が離脱することなく安定して前記運動を行えるのに加えて、下駄状の踏板に足を載せて運動を行う姿に情緒性があって、運動をしている姿そのものが美しい。また、踏板が鼻緒を備えた下駄状になっていて、裏面には複数の軸支持板が前後方向に配置されて当該踏板に一体に固着されているので、基台の軸受台から取り外した踏板を下駄として単独で使用して、長手方向の両端部を上下動させながら、即ちシーソー運動させながら床面を歩行等することも可能であって、当該行為による運動効果も得られる。
【発明を実施するための最良の形態】
【００２２】
以下、複数の実施形態を挙げて本発明について更に詳細に説明する。
【実施例１】
【００２３】
最初に実施例１の健康増進器具Ａ1 について説明する。図１は、実施例１の健康増進器具Ａ1 の全体斜視図であり、図２は、同じく３個の軸受台Ｂ1 を備えた基台Ｖ1 と左右一対の踏板Ｐ1 ，Ｐ2 とを分離した状態の斜視図であり、図３は、一部を破断した平面図であり、図４は、図３のＸ−Ｘ線断面図であり、図５は、軸受台Ｂ1 の側面図である。図１ないし図４に示されるように、実施例１の健康増進器具Ａ1 は、３個の軸受台Ｂ1 を備えた基台Ｖ1 と、各軸受台Ｂ1 に回動軸２を介して回動可能に支持されて、シーソー運動を行う左右一対の踏板Ｐ1 ，Ｐ2 とで構成される。基台Ｖ1 と踏板Ｐ1,Ｐ2 とは、いずれも踏板Ｐ1,Ｐ2 に乗せる人体の足を損傷させるのを防止したり、或いは主たる使用が室内であることを考慮して木製であるが、材質は本質的なものではない。従って、プラスチックで製作したり、或いは人体の荷重が加わる部分（軸受台Ｂ1 と回動軸２）のみを金属製にして、残りの部分を木製又はプラスチック製にすることも可能である。
【００２４】
基台Ｖ1 は、長方形の厚板状をした基台本体１の長手方向の中央部に、左右一対の踏板Ｐ1 ，Ｐ2 の裏面側に備え付けられた回動軸２を支持して、人体の荷重を支持するための３個の厚板状の軸受台Ｂ1 が前記基台本体１の幅方向に沿って所定間隔（左右一対の踏板Ｐ1 ，Ｐ2 の幅よりも僅かに大きな間隔）をおいて互いに平行となって固定されている。軸受台Ｂ1 は、図２及び図５に詳細に図示されているように、長方形状をした厚板材の隣接する２つのコーナー部を面取りした形状であって、一方の面取り部は、長辺の長さよりも長く面取りされて２つの軸支持溝部Ｇ1 ，Ｇ2 を形成する傾斜面部４となっており、他方の面取り部は、人体等の接触による損傷防止のための本来的な面取りである。軸受台Ｂ1 の傾斜面部４には、傾斜面の下端部と中央部とにそれぞれ軸支持溝部Ｇ1 ，Ｇ2 が形成されていると共に、軸受台Ｂ1 の上面部５には、１つの軸支持溝部Ｇ3 が形成されて、軸受台Ｂ1 には、計３個の軸支持溝部Ｇ1 〜Ｇ3 が形成されている。軸受台Ｂ1 の傾斜面部４に形成された軸支持溝部Ｇ1 ，Ｇ2 は、回動軸２の支持位置が最も低くなるような円弧状に形成されており、上面部５に形成された軸支持溝部Ｇ3 は、垂直方向に形成されている。その結果、軸受台Ｂ1 には、基台本体１の上面からの高さ（Ｈ1 ，Ｈ2 ，Ｈ3 ）の異なる計３個の軸支持溝部Ｇ1 〜Ｇ3 が形成されている。軸受台Ｂ1 の傾斜面部４に形成される軸支持溝部Ｇ1 ，Ｇ2 を円弧状にしたのは、回動軸２の支持状態において、計３個の各軸支持溝部Ｇ1 〜Ｇ3 にそれぞれ挿入された回動軸２の軸心位置が踏板Ｐ1 ，Ｐ2 の長手方向に沿って大きくずれるのを防止すること、及び挿入された回動軸２に抜け出る方向の力が作用しても内周壁に当接して容易に抜け出ないようにすることのためである。
【００２５】
また、図２ないし図４に示されるように、基台本体１の長手方向の両端部には、当該基台本体１の幅方向に長くなった方形枠体６がそれぞれ一体に形成されて、各方形枠体６の内部には、使用時においてシーソー運動を行う左右一対の踏板Ｐ1 ，Ｐ2 の長手方向の両端部が基台本体１に当接する力を緩和すると共に、当接時の当接音を吸収するための当接吸収材７が収容されて、当該当接吸収材７のほぼ上半部は、方形枠体６の上面から上方に突出している。当接吸収材７の代表例としては、スポンジ材が挙げられるが、当接を吸収できる部材であれば、スポンジ材に限定されない。
【００２６】
次に、図１ないし図５を参照して、左右一対の踏板Ｐ1 ，Ｐ2 について説明する。各踏板Ｐ1 ，Ｐ2 は同一構造であって、基台本体１の長辺の長さに対応した長さを有する長方形状の踏板本体８の長手方向の両端部には、当該踏板Ｐ1 ，Ｐ2 に載せた人体の足が長手方向にずれて脱落するのを防止するための高さの低い起立板部９がそれぞれ形成されており、踏板本体８の裏面における長手方向の中央部には、左右一対の軸支持板部１１が前記踏板本体８の幅方向の両端部にそれぞれ固定されている。左右一対の踏板Ｐ1 ，Ｐ2 の各軸支持板部１１には、共通の回動軸２が回転可能であって、しかも軸方向に移動可能な状態で挿通されて、各踏板Ｐ1 ，Ｐ2 は、１本の回動軸２を介して連結された形態となっている。また、踏板本体８の上面の全面には、人体の足の保護のためのマット部材１２が敷設され、踏板本体８の裏面の長手方向の両端部には、前記基台本体１或いは当該基台本体１に配置された当接吸収材７に対する当接を緩和するための当接緩和体１３が貼り付けられている。また、踏板本体８の長手方向の中央部には、当該踏板本体８を踏み込む人体の足裏を刺激するための２個の刺激球体１４が、踏板本体８の長手方向に沿って所定間隔をおいて配置されている。即ち、図４に示されるように、踏板本体８に刺激球体１４の大きさに対応する略半球状の凹部１５が形成されて、当該凹部１５に刺激球体１４の略半分が挿入されている。
【００２７】
そして、１本の回動軸２を介して連結状態となった左右一対の踏板Ｐ1 ，Ｐ2 は、それぞれ計３個の軸受台Ｂ1 の間の空間部に挿入されて、各踏板Ｐ1 ，Ｐ2 に共通の回動軸２は、３個の軸受台Ｂ1 の軸支持溝部Ｇ1 〜Ｇ3 のいずれかに挿入される。図１、図３、図４及び図６の例は、高さ方向に沿って中央部の軸支持溝部Ｇ2 に回動軸２が挿入されて、左右一対の踏板Ｐ1 ，Ｐ2 が回動可能に支持された例である。図７及び図８は、それぞれ高さ方向に沿って最も低い軸支持溝部Ｇ1 及び最も高い軸支持溝部Ｇ3 に回動軸２が挿入された例である。いずれの例においても、左右一対の踏板Ｐ1 ，Ｐ2 は、共通の１本の回動軸２を回動支点としてシーソー状の運動を行う。
【００２８】
そして、図６〜図８に示されているように、実施例１の健康増進器具Ａ1 では、計３個の軸支持溝部Ｇ1 〜Ｇ3 のいずれかを選択することにより、基台本体１の上面から高さの異なる回動支点部を中心にして、左右一対の踏板Ｐ1 ，Ｐ2 を回動させてシーソー運動を行わせることができる。ここで、各踏板Ｐ1 ，Ｐ2 の前後両端の昇降量の変動量は、各踏板Ｐ1 ，Ｐ2 の回動支点位置の高さの変動値の２倍となるので、各踏板Ｐ1 ，Ｐ2 の回動支点位置の高さの変更による当該踏板Ｐ1 ，Ｐ2 のシーソー運動に与える影響は大きい。即ち、各踏板Ｐ1 ，Ｐ2 を踏み込んで起立した姿勢を維持するには、回動支点位置が高くなる程、高いバランス能力が必要となるため器具としての使用の難易度が高くなって、バランス能力、熟練度等に応じて回動支点位置を自在に選択できる点に、本発明の特徴が存在する。更に、各踏板Ｐ1 ，Ｐ2 の回動支点部を変更するには、軸支持溝部Ｇ1 ，Ｇ2 で支持された状態では、各踏板Ｐ1 ，Ｐ2 を軸支持溝部Ｇ1 ，Ｇ2 の円弧形状に沿わせて斜上方に移動させることにより、また軸支持溝部Ｇ3 で支持された状態では、各踏板Ｐ1 ，Ｐ2 を直上に直線移動させることにより、いずれも各軸支持溝部Ｇ1 〜Ｇ3 から容易に回動軸２を脱出させられる。しかし、このように各踏板Ｐ1 ，Ｐ2 の回動支点部の位置の変更が容易にもかかわらず、各踏板Ｐ1 ，Ｐ2 の使用状態では、回動軸２が各軸支持溝部Ｇ1 〜Ｇ3 から脱出するのを阻止する方向に人体の荷重が作用しているため、器具の使用中において、回動軸２が各軸支持溝部Ｇ1 〜Ｇ3 から脱出する恐れは殆どない。
【００２９】
次に、実施例１の健康増進器具Ａ1 の使用方法について簡単に説明する。図９には、各踏板Ｐ1 ，Ｐ2 にそれぞれ左右の足Ｆを載せて踏み込むことにより、前後・左右のバランスを図りながら、各踏板Ｐ1 ，Ｐ2 の平行を維持するという最も基本的な器具の使用方法が示されている。図１０には、互いに独立してシーソー運動を行う各踏板Ｐ1 ，Ｐ2 に左右の各足Ｆをそれぞれ跨がせた状態で載せて踏み込むことにより、シーソー運動を行う各踏板Ｐ1 ，Ｐ2 に対する左右の各足Ｆに対する荷重配分による第１バランスと、２枚の各踏板Ｐ1 ，Ｐ2 に対する片足の前後の荷重配分による第２バランスとの組み合わせによるバランス保持を必要とする高度な器具の使用方法が示されている。
【００３０】
また、図１１には、各踏板Ｐ1 ，Ｐ2 を最も高い軸支持溝部Ｇ3 に支持させて、左右の各踏板Ｐ1 ，Ｐ2 を互いに逆方向に傾斜させて、互いに異なる長手方向の一端部をそれぞれ当接吸収材７に当接させることにより、人体の脚部のアキレス腱を伸ばすための器具の使用方法が示されている。図１２には、椅子に座って、両足Ｆの足裏を各踏板Ｐ1 ，Ｐ2 の刺激球体１４に接触させた状態で、各足Ｆにより各踏板Ｐ1 ，Ｐ2 を小さなシーソー運動を行わせることにより、足裏を刺激する器具の使用方法が示されている。
【００３１】
更に、図１３には、一方の足Ｆを傾斜姿勢の踏板Ｐ2 に載せて踏み込むと共に、下方の足Ｆをほぼ水平にさせることにより、傾斜姿勢におけるバランス感覚の訓練をしている使用方法が示されている。この使用方法の場合でも、同一の器具により踏板Ｐ2 （Ｐ1 ）の傾斜角度を容易に換えて難易度を変更できるので、運動レベル（能力）の異なる者の使用が可能となると共に、同一の者の場合には、熟練に応じて要求されるバランス感覚のレベルを上げることができる。
【００３２】
また、図１４には、椅子３１に腰掛けた二人が両足Ｆにより各踏板Ｐ1 ，Ｐ2 の互いに反対側の端部を踏み込むことにより、互いにタイミングを合わせて協調しながら、各踏板Ｐ1 ，Ｐ2 をシーソー運動させて、足腰を強化させる使用方法が示されている。
【００３３】
また、上記実施例の軸受台Ｂ1 は、一方側に形成された傾斜面部４に２個の軸支持溝部Ｇ1 ，Ｇ2 のいずれもが形成された例であるが、図１５に示される台形状をした軸受台Ｂ2 のように、対向する傾斜面部２１の高さの異なる位置にそれぞれ軸支持溝部Ｇ1'，Ｇ2'を形成すると、厚板状の軸受台Ｂ2 に切欠き状の溝部を形成することによる強度低下を少なくできる利点がある。なお、図１５において、Ｇ3'は、上面部２２に形成された軸支持溝部を示す。
【００３４】
また、軸受台に形成される軸支持溝部の数に関しても、上記各実施例では、いずれも３個であるが、複数であることのみが必要であって、数自体は限定されない。
【００３５】
また、上記実施例１では、左右一対の踏板Ｐ1 ，Ｐ2 が共通の１本の回動軸２を介して基台Ｖ1 に一体となって支持されて、平面視における各踏板Ｐ1 ，Ｐ2 の位置は一定しているため、上記したような、互いに直交する２方向のバランスを図りながら運動を行えて、高度のバランス感覚の訓練、及び体得が可能となる利点がある。しかし、本発明においては、左右一対の踏板を個別の基台に、回動支点位置の高さが変更可能な軸受台を使用して支持させることにより、各踏板を自由配置可能にして、バランス感覚の体得等のための運動を行えるようにすることも可能である。
【実施例２】
【００３６】
次に、実施例２の健康増進器具Ａ2 について説明する。図１６は、実施例２の健康増進器具Ａ2 の使用状態の全体斜視図であり、図１７は、３個の軸受台Ｂ3 を備えた基台Ｖ2 と左右一対の踏板Ｐ3 ，Ｐ4 とを分離した状態の斜視図であり、図１８は、健康増進器具Ａ2 の平面図であり、図１９は、図１８のＹ−Ｙ線断面図である。健康増進器具Ａ2 は、実施例１の健康増進器具Ａ1 と同様に、計３個の軸受台Ｂ3(Ｂ3') を備えた基台Ｖ2 と、２個で一組となった軸受台Ｂ3,Ｂ3'に回動軸４２を介して回動可能に支持される下駄状をした一対の踏板Ｐ3 ，Ｐ4 とで構成される。
【００３７】
基台Ｖ2 には、各踏板Ｐ3 ，Ｐ4 の幅方向に沿って所定間隔をおいて計３個のほぼ台形状をした軸受台Ｂ3(Ｂ3') が固着されている。計３個の軸受台Ｂ3(Ｂ3') のうち基台Ｖ2 の幅方向の両端に配置される各軸受台Ｂ3 は、内側面のみに軸支持溝部Ｇ4 ，Ｇ5 が形成され、中央に配置される軸受台Ｂ3'は、両側面に軸支持溝部Ｇ4 ，Ｇ5 が形成されている構成において、軸受台Ｂ3 とは異なる。軸支持溝部Ｇ4 は上面に開口して垂直方向に形成されていると共に、軸支持溝部Ｇ5 は、側面に開口して斜方向に形成されて、各軸支持溝部Ｇ4 ，Ｇ5 には、各踏板Ｐ3 ，Ｐ4 の裏面側に一体に支持された回動軸４２の両端部が挿入支持される。このように、軸支持溝部Ｇ4 ，Ｇ5 は、軸受台Ｂ3(Ｂ3') の側面に形成されて、板厚方向に貫通していないので、軸支持溝部Ｇ4 ，Ｇ5 を形成することによる軸受台Ｂ3(Ｂ3') の強度の低下を抑制できる。図２２に示されるように、一組の軸受台Ｂ3(Ｂ3') の各軸支持溝部Ｇ4 ，Ｇ5 に両端部が挿入支持された回動軸４２の軸心の高さＨ4 ，Ｈ5 は、異なる（Ｈ4 ＞Ｈ5 ）。また、回動軸４２を介して一組の軸受台Ｂ3(Ｂ3') に支持された一対の踏板Ｐ3 ，Ｐ4 がシーソー運動を行う際に基台Ｖ2 の上面に当接する部分には、それぞれ緩衝部材４３が固着されている。
【００３８】
また、一対の踏板Ｐ3 ，Ｐ4 は下駄状をなしていて、台木（踏板本体）４４に貫通して形成された３つの各孔４１に鼻緒４５を通して縛り付けて形成される。台木（踏板本体）４４の裏面側には、幅方向に所定間隔をおいて３つの軸支持板４６が前後方向に配置されて当該台木（踏板本体）４４に一体に固着され、各軸支持板４６には、回動軸４２が貫通支持されて、当該回動軸４２の両端部は、両端の軸支持板４６から所定長だけ突出して被支持部４２ａとなっている。軸支持板４６は、側面視で略方形状をなしていて、前後方向の両端部は大きくアール状に面取りされている。
【００３９】
そして、実施例２の健康増進器具Ａ2 を使用するには、実施例１の健康増進器具Ａ1 と同様に、使用者の運動能力、熟練度等に応じて、一組の軸受台Ｂ3(Ｂ3') の側面に形成された２つの軸支持溝部Ｇ4 ，Ｇ5 のいずれかを選択して、各踏板Ｐ3 ，Ｐ4 の裏面に支持された回動軸４２の両端部の被支持部４２ａを当該軸支持溝部Ｇ4(Ｇ5)に挿入することにより、各踏板Ｐ3 ，Ｐ4 を回動軸４２を介して一組の軸受台Ｂ3(Ｂ3') に支持させる。図２０及び図２１は、それぞれ一組の軸受台Ｂ3(Ｂ3') の軸支持溝部Ｇ4 及び同Ｇ5 に回動軸４２を挿入支持させて、シーソー運動を行う場合の側面図であって、各シーソー運動における台木（踏板本体）４４の前後端の昇降量の変動量は、回動軸４２の高さの差（Ｈ4 −Ｈ5 ）の２倍となる。
【００４０】
そして、図１６に示されるように、左右一対の踏板Ｐ3 ，Ｐ4 の各台木（踏板本体）４４に踏み込んだ足Ｆ及びその指を鼻緒４５に引っ掛けて、足の前後を交互に昇降させて各踏板Ｐ3 ，Ｐ4 にシーソー運動を行わせる。足Ｆ及びその指が鼻緒４５に引っ掛かっているので、基台Ｖ2 に対する回動軸４２の支点位置が高くなって各踏板Ｐ3 ，Ｐ4 の傾斜角度が大きくなっても、各踏板Ｐ3 ，Ｐ4 から足Ｆが容易には外れないので、踏板Ｐ3 ，Ｐ4 のシーソー運動を安定して行なうことができる。また、各台木（踏板本体）４４の鼻緒４５に足及びその指先を引っ掛けることにより、下駄を履いた状態で当該下駄にシーソー運動を行わせて運動する姿は和風の情緒があって美しいものである。
【００４１】
また、図２３及び図２４に示されるように、左右一対の踏板Ｐ3 ，Ｐ4 を単独で下駄のようにして使用することも可能である。即ち、左右一対の踏板Ｐ3 ，Ｐ4 の各台木（踏板本体）４４に踏み込んだ足Ｆ及びその指を鼻緒４５に引っ掛けて、足の前後を交互に昇降させながら床面等を歩行することにより、バランス感覚を養うことができる。各台木（踏板本体）４４の裏面に固着した略方形状の軸支持板４６は、側面視において前後方向の両端部が大きくアール状に面取りされているので、各台木（踏板本体）４４の前後端部を交互に昇降させて歩行する場合において、当該昇降をスムーズに行うことができる。
【００４２】
また、上記した健康増進器具Ａ2 は、図２５に示されるように、椅子５１に座って机５２の上のパソコン５３を操作する場合において、パソコン５３の操作者５４は、机５２の下の床面上に配置した健康増進器具Ａ2 の各踏板Ｐ3 ，Ｐ4 に左右の各足Ｆを載せて、各踏板Ｐ3 ，Ｐ4 を交互にシーソー運動を行うことにより、パソコン５３の操作を行いながら、足、及び足首を主体にした人体の下半身の強化を行える。
【００４３】
更に、図２６に示されるように、航空機に搭乗する場合において、椅子６１に座った姿勢で、前後の各椅子６１の間の床面に設置した健康増進器具Ａ2 の各踏板Ｐ3 ，Ｐ4 に搭乗者６２の各足Ｆを載せて各踏板Ｐ3 ，Ｐ4 を交互にシーソー運動させることにより、上記と同様の身体の強化を行える。
【００４４】
また、実施例２は、請求項６の発明の実施例にも該当するが、左右一対の踏板の回動視点位置の高さが不変な軸受台が基台に一体に設けられて、前記各踏板が鼻緒を備えた下駄状のものも請求項６の実施例に含まれる。
【図面の簡単な説明】
【００４５】
【図１】実施例１の健康増進器具Ａ1 の全体斜視図である。
【図２】同じく３個の軸受台Ｂ1 を備えた基台Ｖ1 と左右一対の踏板Ｐ1 ，Ｐ2 とを分離した状態の斜視図である。
【図３】同じく一部を破断した平面図である。
【図４】図３のＸ−Ｘ線断面図である。
【図５】軸受台Ｂ1 の側面図である。
【図６】高さ方向に沿って中央部に位置する軸支持溝部Ｇ2 に挿入した回動軸２により左右一対の踏板Ｐ1 ，Ｐ2 を回動可能に支持した状態の側面図である。
【図７】高さ方向に沿って最も低い位置の軸支持溝部Ｇ1 に挿入した回動軸２により左右一対の踏板Ｐ1 ，Ｐ2 を回動可能に支持した状態の側面図である。
【図８】高さ方向に沿って最も高い位置の軸支持溝部Ｇ3 に挿入した回動軸２により左右一対の踏板Ｐ1 ，Ｐ2 を回動可能に支持した状態の側面図である。
【図９】各踏板Ｐ1 ，Ｐ2 に人体の各足Ｆをそれぞれ載せて踏み込むことにより、バランス感覚を高めるための器具Ａ1 の使用方法を示す斜視図である。
【図１０】各踏板Ｐ1 ，Ｐ2 に人体の両足Ｆを跨いだ状態で載せて踏み込むことにより、バランス感覚を高めるための器具Ａ1 の使用方法を示す斜視図である。
【図１１】各踏板Ｐ1 ，Ｐ2 を互いに逆方向に傾斜させた状態で、人体の各足Ｆを傾斜した各踏板Ｐ1 ，Ｐ2 に載せて踏み込むことにより、アキレス腱を伸ばす運動を行うための器具Ａ1 の使用方法を示す斜視図である。
【図１２】椅子に座って、人体の各足Ｆの足裏を各踏板Ｐ1 ，Ｐ2 の刺激球体１４に当接させた状態で、各踏板Ｐ1 ，Ｐ2 に小さなシーソー運動させる器具Ａ1 の使用方法を示す斜視図である。
【図１３】一方の足Ｆを傾斜姿勢の踏板Ｐ2 に載せて踏み込むと共に、下方の足Ｆをほぼ平行にして他の支持具に支持させることにより、傾斜姿勢におけるバランス感覚の訓練をしている使用方法を示す斜視図である。
【図１４】椅子３１に腰掛けた二人が両足Ｆにより各踏板Ｐ1 ，Ｐ2 の互いに反対側の端部を踏み込んで、足腰を強化させる使用方法を示す側面図である。
【図１５】実施例１の別の軸受台Ｂ2 の側面図である。
【図１６】実施例２の健康増進器具Ａ2 の使用状態の全体斜視図である。
【図１７】３個の軸受台Ｂ3 を備えた基台Ｖ2 と左右一対の踏板Ｐ3 ，Ｐ4 とを分離した状態の斜視図である。
【図１８】健康増進器具Ａ2 の平面図である。
【図１９】図１８のＹ−Ｙ線断面図である。
【図２０】高い位置の軸支持溝部Ｇ4 に挿入した回動軸４２により左右一対の踏板Ｐ3 ，Ｐ4 を回動可能に支持した状態の側面図である。
【図２１】低い位置の軸支持溝部Ｇ5 に挿入した回動軸４２により左右一対の踏板Ｐ3 ，Ｐ4 を回動可能に支持した状態の側面図である。
【図２２】軸受台Ｂ3(Ｂ3') の側面図である。
【図２３】一対の踏板Ｐ3 ，Ｐ4 を下駄のようにして履いて使用している状態の斜視図である。
【図２４】（ａ），（ｂ）は、それぞれ下駄のように使用している一対の踏板Ｐ3 ，Ｐ4 を前及び後に倒した状態の側面図である。
【図２５】パソコン５３を操作しながら机５２の下に設置した健康増進器具Ａ2 を使用して操作者５４の身体を強化している状態の側面図である。
【図２６】航空機に搭乗した搭乗した搭乗者６２が椅子６１に座った姿勢で健康増進器具Ａ2 を使用して身体を強化している状態の側面図である。
【符号の説明】
【００４６】
Ａ1,Ａ2 ：健康増進器具
Ｂ1,Ｂ2,Ｂ3,Ｂ3'：軸受台
Ｆ：人体の足
Ｇ1 〜Ｇ5 ：軸支持溝部
Ｐ1 〜Ｐ4 ：踏板
Ｖ1,Ｖ2 ：基台
２，４２：回動軸
４，２１：軸受台の傾斜面部
５，２２：軸受台の上面部
４４：台木（踏板本体）
４５：鼻緒
４６：軸支持板
【図１】
2009165813.tif 000003
【図２】
2009165813.tif 000004
【図３】
2009165813.tif 000005
【図４】
2009165813.tif 000006
【図５】
2009165813.tif 000007
【図６】
2009165813.tif 000008
【図７】
2009165813.tif 000009
【図８】
2009165813.tif 000010
【図９】
2009165813.tif 000011
【図１０】
2009165813.tif 000012
【図１１】
2009165813.tif 000013
【図１２】
2009165813.tif 000014
【図１３】
2009165813.tif 000015
【図１４】
2009165813.tif 000016
【図１５】
2009165813.tif 000017
【図１６】
2009165813.tif 000018
【図１７】
2009165813.tif 000019
【図１８】
2009165813.tif 000020
【図１９】
2009165813.tif 000021
【図２０】
2009165813.tif 000022
【図２１】
2009165813.tif 000023
【図２２】
2009165813.tif 000024
【図２３】
2009165813.tif 000025
【図２４】
2009165813.tif 000026
【図２５】
2009165813.tif 000027
【図２６】
2009165813.tif 000028